(57)【要約】      （修正有）【課題】アンダーフィル等の樹脂の流れを長距離に亘って制御する構造を有する光モジュールを提供する。【解決手段】光モジュールは、電気エネルギと光エネルギとの間でのエネルギ変換を行う光素子と、光が伝送される光伝送領域と、光伝送領域に隣接する隣接領域と、を有する基板表面３１０Ａを含む基板３００Ａと、光伝送領域に供給された樹脂から形成された樹脂層と、樹脂を案内する案内部５００Ａと、を備える。光伝送領域は、光素子を支持する第１領域と、光素子と協働して光学的な伝送を行う光伝送構造体が実装される第２領域と、を含む。案内部５００Ａは、第１領域から第２領域へ向かう第１方向へ流れる樹脂を受け止め、且つ、第１方向とは異なる第２方向に樹脂を案内する第１案内部５１０と、第２方向に流れる樹脂の流れ方向を変更する第２案内部５２０と、を含む。【選択図】図３
2015222281.tif 000002
【特許請求の範囲】
【請求項１】
電気エネルギと光エネルギとの間でのエネルギ変換を行う光素子と、
光が伝送される光伝送領域と、前記光伝送領域に隣接する隣接領域と、を有する基板表面を含む基板と、
前記光伝送領域に供給された樹脂から形成された樹脂層と、
前記樹脂を案内する案内部と、を備え、
前記光伝送領域は、前記光素子を支持する第１領域と、前記光素子と協働して光学的な伝送を行う光伝送構造体が実装される第２領域と、を含み、
前記案内部は、前記第１領域から前記第２領域へ向かう第１方向へ流れる前記樹脂を受け止め、且つ、前記第１方向とは異なる第２方向に前記樹脂を案内する第１案内部と、前記第２方向に流れる前記樹脂の流れ方向を変更する第２案内部と、を含むことを特徴とする光モジュール。
【請求項２】
前記案内部は、突条であることを特徴とする請求項１に記載の光モジュール。
【請求項３】
前記案内部は、溝部であることを特徴とする請求項１に記載の光モジュール。
【請求項４】
前記案内部は、前記基板表面とは異なる表面特性を有することを特徴とする請求項１乃至３のいずれか１項に記載の光モジュール。
【請求項５】
前記第１案内部は、前記光伝送領域から前記隣接領域へ延び、
前記第２案内部は、前記第１案内部から前記隣接領域内で延びることを特徴とする請求項１乃至４のいずれか１項に記載の光モジュール。
【請求項６】
前記第２案内部は、前記隣接領域内で直線状に延びることを特徴とする請求項５に記載の光モジュール。
【請求項７】
前記第２案内部は、前記隣接領域内で渦巻き状に延びることを特徴とする請求項５に記載の光モジュール。
【請求項８】
前記第２案内部は、前記隣接領域内でジグザグに延びることを特徴とする請求項５に記載の光モジュール。
【請求項９】
前記第２案内部は、前記第１案内部と協働して前記隣接領域内で閉ループを描くことを特徴とする請求項５に記載の光モジュール。
【請求項１０】
前記光素子及び前記光伝送構造体と光学的に結合可能な第１材料から形成されたコア部と、前記コア部を覆う第２材料から形成されたクラッド部と、を含む光導波路を更に備え、
前記光伝送領域は、前記第１領域と前記第２領域との間の第３領域を含み、
前記コア部及び前記クラッド部は、前記第１領域から前記第３領域に亘って延び、
前記第１案内部は、前記第３領域から前記隣接領域へ延びることを特徴とする請求項２に記載の光モジュール。
【請求項１１】
前記案内部は、前記第１材料及び前記第２材料のうち少なくとも一方を含むことを特徴とする請求項１０に記載の光モジュール。
【請求項１２】
前記光素子及び前記光伝送構造体と光学的に結合するコア部と、前記コア部を覆うクラッド部と、を含む光導波路を更に備え、
前記光伝送領域は、前記第１領域と前記第２領域との間の第３領域を含み、
前記コア部及び前記クラッド部は、前記第１領域から前記第３領域に亘って延び、
前記第１案内部は、前記光導波路と立体的に交差することを特徴とする請求項４に記載の光モジュール。
【発明の詳細な説明】
【技術分野】
【０００１】
本発明は、電気エネルギと光エネルギとの間でエネルギ変換を行う光素子を備える光モジュールに関する。
【背景技術】
【０００２】
特許文献１に開示される技術は、アンダーフィルが導波路フィルムへ向かって流れる樹脂を堰き止めることに取り組む。
【先行技術文献】
【特許文献】
【０００３】
【特許文献１】特開２０１１−３３６５９号公報
【発明の概要】
【発明が解決しようとする課題】
【０００４】
設計者は、設計上の制限、製品に要求される性能上の制限、製造プロセス上の制限や製造コスト上の制限といった様々な制限に起因して、突条に十分な高さ寸法を与えられないこともある。樹脂が突条を乗り越えるならば、樹脂は、方向的な制御を受けることなく自由に流れる。
【０００５】
本発明は、樹脂の流れを長距離に亘って制御することができる構造を有する光モジュールを提供することを目的とする。
【課題を解決するための手段】
【０００６】
本発明の一局面に係る光モジュールは、電気エネルギと光エネルギとの間でのエネルギ変換を行う光素子と、光が伝送される光伝送領域と、前記光伝送領域に隣接する隣接領域と、を有する基板表面を含む基板と、前記光伝送領域に供給された樹脂から形成された樹脂層と、前記樹脂を案内する案内部と、を備える。前記光伝送領域は、前記光素子を支持する第１領域と、前記光素子と協働して光学的な伝送を行う光伝送構造体が実装される第２領域と、を含む。前記案内部は、前記第１領域から前記第２領域へ向かう第１方向へ流れる前記樹脂を受け止め、且つ、前記第１方向とは異なる第２方向に前記樹脂を案内する第１案内部と、前記第２方向に流れる前記樹脂の流れ方向を変更する第２案内部と、を含む。
【０００７】
上記構成によれば、第１領域から第２領域へ向かって流れる樹脂は、第１案内部と第２案内部とによって案内されるので、樹脂の流れは、長距離に亘って、案内部によって制御されることになる。
【０００８】
上記構成において、前記案内部は、突条であってもよい。
【０００９】
上記構成によれば、案内部は、突条であるので、樹脂の流れは、長距離に亘って、案内部によって適切に制御されることになる。
【００１０】
上記構成において、前記案内部は、溝部であってもよい。
【００１１】
上記構成によれば、案内部は、溝部であるので、樹脂の流れは、長距離に亘って、案内部によって適切に制御されることになる。
【００１２】
上記構成において、前記案内部は、前記基板表面とは異なる表面特性を有してもよい。
【００１３】
上記構成によれば、案内部は、基板表面とは異なる表面特性を有するので、樹脂の流れは、長距離に亘って、案内部によって適切に制御されることになる。
【００１４】
上記構成において、前記第１案内部は、前記光伝送領域から前記隣接領域へ延びてもよい。前記第２案内部は、前記第１案内部から前記隣接領域内で延びてもよい。
【００１５】
上記構成によれば、第１案内部は、光伝送領域から隣接領域へ延びるので、樹脂は、第２領域に流入しにくくなる。第２案内部は、第１案内部から隣接領域内で延びるので、樹脂の流れは、隣接領域内で制御される。したがって、樹脂は、隣接領域内に留まりやすくなる。
【００１６】
上記構成において、前記第２案内部は、前記隣接領域内で直線状に延びてもよい。
【００１７】
上記構成によれば、第２案内部は、隣接領域内で直線状に延びるので、樹脂は、隣接領域内に留まりやすくなる。
【００１８】
上記構成において、前記第２案内部は、前記隣接領域内で渦巻き状に延びてもよい。
【００１９】
上記構成によれば、第２案内部は、隣接領域内で渦巻き状に延びるので、樹脂は、隣接領域内に留まりやすくなる。
【００２０】
上記構成において、前記第２案内部は、前記隣接領域内でジグザグに延びてもよい。
【００２１】
上記構成によれば、第２案内部は、隣接領域内でジグザグに延びるので、樹脂は、隣接領域内に留まりやすくなる。
【００２２】
上記構成において、前記第２案内部は、前記第１案内部と協働して前記隣接領域内で閉ループを描いてもよい。
【００２３】
上記構成によれば、第２案内部は、第１案内部と協働して隣接領域内で閉ループを描くので、樹脂は、隣接領域内に留まりやすくなる。
【００２４】
上記構成において、光モジュールは、前記光素子及び前記光伝送構造体と光学的に結合可能な第１材料から形成されたコア部と、前記コア部を覆う第２材料から形成されたクラッド部と、を含む光導波路を更に備えてもよい。前記光伝送領域は、前記第１領域と前記第２領域との間の第３領域を含んでもよい。前記コア部及び前記クラッド部は、前記第１領域から前記第３領域に亘って延びてもよい。前記第１案内部は、前記第３領域から前記隣接領域へ延びてもよい。
【００２５】
上記構成によれば、第１案内部は、第１領域と第２領域との間の第３領域から隣接領域へ延びるので、樹脂は、第２領域に流入しにくくなる。
【００２６】
上記構成において、前記案内部は、前記第１材料及び前記第２材料のうち少なくとも一方を含んでもよい。
【００２７】
上記構成によれば、案内部は、第１材料及び第２材料のうち少なくとも一方を含むので、突条は、容易に形成される。
【００２８】
上記構成において、光モジュールは、前記光素子及び前記光伝送構造体と光学的に結合するコア部と、前記コア部を覆うクラッド部と、を含む光導波路を更に備えてもよい。前記光伝送領域は、前記第１領域と前記第２領域との間の第３領域を含んでもよい。前記コア部及び前記クラッド部は、前記第１領域から前記第３領域に亘って延びてもよい。前記第１案内部は、前記光導波路と立体的に交差してもよい。
【００２９】
上記構成によれば、第１案内部は、光導波路と立体的に交差するので、樹脂は、第２領域に流入しにくくなる。
【発明の効果】
【００３０】
本発明の光モジュールは、樹脂の流れを長距離に亘って制御する構造を有することができる。
【図面の簡単な説明】
【００３１】
【図１】第１実施形態の光モジュールの設計概念図である。
【図２】第２実施形態の光モジュールの概略的な断面図である。
【図３】図２に示される光モジュールの基板の概略的な平面図である。
【図４】第３実施形態の光モジュールの概略的な断面図である。
【図５】図４に示される光モジュールの基板の概略的な平面図である。
【図６】基板の概略的な平面図である（第４実施形態）。
【図７】基板の概略的な平面図である（第５実施形態）。
【図８】基板の概略的な平面図である（第６実施形態）。
【図９】基板の概略的な平面図である（第７実施形態）。
【発明を実施するための形態】
【００３２】
添付の図面を参照して、光モジュールに関する様々な実施形態が以下に説明される。光モジュールは、以下の説明によって、明確に理解可能である。「上」、「下」、「左」や「右」といった方向を表す用語は、単に、説明の明瞭化を目的とする。したがって、これらの用語は、限定的に解釈されるべきものではない。
【００３３】
＜第１実施形態＞
樹脂の流れが、長距離に亘って制御されるならば、樹脂は、樹脂の流入が望ましくない領域に到達する前に固化されやすくなる。第１実施形態において、樹脂の流れを長距離に亘って制御する構造を有する光モジュールが説明される。
【００３４】
図１は、第１実施形態の光モジュール１００の設計概念図である。図１を参照して、光モジュール１００が説明される。
【００３５】
光モジュール１００は、光素子２００と、基板３００と、を備える。光素子２００は、電気エネルギと光エネルギとの間でのエネルギ変換を行う。例えば、光素子２００は、電力の供給に応じて発光する発光装置（例えば、レーザ光源）であってもよい。代替的に、光素子２００は、受光に応じて電気信号を生成する光センサであってもよい。本実施形態の原理は、光素子２００の特定の種類に限定されない。
【００３６】
基板３００は、光素子２００が据え付けられる基板表面３１０を含む。図１において、基板表面３１０は、光伝送領域３２０と隣接領域３３０とに概念的に区分されている。
【００３７】
光素子２００は、光伝送領域３２０内に据え付けられる。光素子２００が生成した光は、光伝送領域３２０内で伝送されてもよい。代替的に、光素子２００へ向かう光は、光伝送領域３２０内で伝送されてもよい。隣接領域３３０は、光伝送領域３２０の隣に形成される。
【００３８】
図１において、光伝送領域３２０は、第１領域３２１と第２領域３２２とに概念的に区分される。第１領域３２１は、光素子２００を支持する。第１領域３２１には、樹脂ＲＳが供給される。樹脂ＲＳは、第１領域３２１内で樹脂層（図示せず）を形成する。樹脂層は、光素子２００の下方に形成されたアンダーフィル層として機能してもよい。代替的に、樹脂層は、光素子２００を封止するために用いられてもよい。本実施形態の原理は、樹脂ＲＳの特定の用途に限定されない。
【００３９】
光素子２００と協働して光学的な伝送を行う光伝送構造体４００は、第２領域３２２内に実装される。光伝送構造体４００は、光モジュール１００の一部であってもよい。代替的に、光伝送構造体４００は、光モジュール１００と協働して光を伝送する他の要素であってもよい。
【００４０】
例えば、光伝送構造体４００は、光ファイバであってもよい。代替的に、光伝送構造体４００は、導波路フィルムであってもよい。更に代替的に、光伝送構造体は、光導波路であってもよい。本実施形態の原理は、光伝送構造体４００の特定の構造に何ら限定されない。
【００４１】
光素子２００は、光伝送構造体４００に光学的に結合される。光モジュール１００は、光素子２００と光伝送構造体４００とを光学的に接続するための接続構造（図示せず）を有してもよい。本実施形態の原理は、接続構造によっては何ら限定されない。
【００４２】
光モジュール１００は、案内部５００を更に備える。第１領域３２１に供給された液状の樹脂ＲＳの一部は、第２領域３２２に向かって流れる。案内部５００は、第１領域３２１から第２領域３２２へ向かう第１方向へ流れる樹脂ＲＳを受け止める第１案内部を含む。第１案内部は、第１方向とは異なる第２方向へ液状の樹脂ＲＳを案内する。
【００４３】
案内部５００は、第１案内部によって案内された液状の樹脂ＲＳの流れ方向を変更する第２案内部を更に含む。図１において、第２案内部によって案内される樹脂ＲＳの流れ方向が矢印によって示されている。本実施形態の原理は、第２案内部によって案内される樹脂ＲＳの特定の流動パターンに限定されない。
【００４４】
案内部５００は、基板表面３１０から突出した突出構造体であってもよい。突出構造体として、突条が例示される。
【００４５】
案内部５００は、基板表面３１０とは異なる表面特性を有する帯状領域であってもよい。帯状領域は、樹脂ＲＳをはじく表面特性を有してもよい。代替的に、帯状領域は、樹脂ＲＳと高い親和性を有してもよい。光モジュール１００を設計する設計者は、帯状領域の表面特性を、樹脂ＲＳの種類及び基板表面３１０の表面特性に応じて決定してもよい。本実施形態の原理は、帯状領域の特定の表面特性に限定されない。
【００４６】
基板表面３１０とは異なる表面特性は、プラズマ処理や塗装処理といった様々な表面加工技術によって作り出されてもよい。本実施形態の原理は、帯状領域を形成するための特定の技術に限定されない。
【００４７】
案内部５００は、基板表面３１０に凹設された溝部であってもよい。溝部は、エッチング加工や他の様々な加工技術によって形成されてもよい。本実施形態の原理は、溝部を形成するための特定の技術に限定されない。
【００４８】
＜第２実施形態＞
設計者は、第１実施形態に関連して説明された設計原理に基づいて、様々な光モジュールを設計することができる。第２実施形態において、例示的な光モジュールが説明される。
【００４９】
図２は、図１を参照して説明された光伝送領域に沿う光モジュール１００Ａの概略的な断面図である。図１及び図２を参照して、光モジュール１００Ａが説明される。
【００５０】
光モジュール１００Ａは、レーザ光源２００Ａと、基板３００Ａと、光ファイバ４００Ａと、案内部５００Ａと、樹脂層６００と、光導波路７００と、複数の接点部２１０と、接着剤層４１０と、押さえ板４２０と、を備える。レーザ光源２００Ａは、図１を参照して説明された光素子２００に対応する。基板３００Ａは、図１を参照して説明された基板３００に対応する。光ファイバ４００Ａは、図１を参照して説明された光伝送構造体４００に対応する。案内部５００Ａは、図１を参照して説明された案内部５００に対応する。樹脂層６００は、図１を参照して説明された樹脂ＲＳによって形成された樹脂層に対応する。本実施形態において、樹脂層６００は、レーザ光源２００Ａと光導波路７００との間を充填するアンダーフィル層として機能する。
【００５１】
基板３００Ａは、基板表面３１０Ａを含む。基板表面３１０Ａには、第１溝部３４１及び第２溝部３４２が形成される。光導波路７００は、第１溝部３４１内で形成される。光ファイバ４００Ａは、第２溝部３４２に収容される。
【００５２】
図２において、基板表面３１０は、光伝送領域において、第１領域、第２領域及び第３領域に概念的に区分される。基板表面３１０は、第１領域において、レーザ光源２００Ａに重畳される。第２領域は、第２溝部３４２が形成される領域である。第３領域は、第１領域と第２領域との間の領域である。
【００５３】
本実施形態において、案内部５００Ａは、基板表面３１０Ａとは異なる表面特性を有する帯状領域である。案内部５００Ａは、樹脂層６００による被覆を回避する表面特性を有する。したがって、樹脂層６００の樹脂は、案内部５００Ａを乗り越えにくくなる。
【００５４】
接着剤層４１０は、光ファイバ４００Ａを第２溝部３４２内で固定するために用いられる。押さえ板４２０は、光ファイバ４００Ａを第２溝部３４２内に押さえつける。
【００５５】
光導波路７００は、樹脂層６００と接着剤層４１０とによって覆われる。案内部５００Ａは、樹脂層６００と接着剤層４１０との間で光導波路７００に立体的に交差する。上述の如く、案内部５００Ａは、樹脂層６００による被覆を回避する表面特性を有するので、樹脂層６００の樹脂は、接着剤層４１０の樹脂と混ざりにくい。
【００５６】
光導波路７００は、コア部７１０とクラッド部７２０とを含む。コア部７１０は、第１溝部３４１に沿って延びる。クラッド部７２０は、コア部７１０を覆う。コア部７１０は、第１領域から第３領域に亘って延びる。コア部７１０は、レーザ光源２００Ａと光学的に結合可能な透光性材料から形成される。クラッド部７２０は、コア部７１０よりも低い屈折率を有する透光性材料から形成される。コア部７１０は、レーザ光源２００Ａと光ファイバ４００Ａとに光学的に結合される。レーザ光源２００Ａから出射されたレーザ光は、コア部７１０を通じて光ファイバ４００Ａに向けて伝搬する。その後、レーザ光は、接着剤層４１０を通じて、光ファイバ４００Ａに入射する。本実施形態において、第１材料は、コア部７１０の透光性材料によって例示される。第２材料は、クラッド部７２０の透光性材料によって例示される。
【００５７】
図３は、基板３００Ａの概略的な平面図である。図２及び図３を参照して、光モジュール１００Ａが更に説明される。
【００５８】
光モジュール１００Ａは、基板表面３１０Ａ上に形成された４つの導電パッド２２０を更に備える。接点部２１０は、導電パッド２２０に対応して配置される。レーザ光源２００Ａは、接点部２１０を通じて、導電パッド２２０それぞれに接続される。
【００５９】
図３において、基板表面３１０Ａは、光伝送領域と、右領域と、左領域と、に概念的に区分されている。上述の如く、第１溝部３４１及び第２溝部３４２は、光伝送領域において、直線状に整列する。右領域は、光伝送領域の右側で拡がる。左領域は、光伝送領域の左側で拡がる。本実施形態において、隣接領域は、右領域及び左領域のうち少なくとも一方によって例示される。
【００６０】
案内部５００Ａは、第１案内部５１０と、第２案内部５２０と、を含む。第１案内部５１０は、第３領域から右領域と左領域とに向けて延びる直線状の帯状領域である。第２案内部５２０は、右領域及び左領域内で渦巻き状に延びる帯状領域である。
【００６１】
第１案内部５１０は、樹脂層６００の形成のために第１領域に供給された液状の樹脂の一部を受け止める。上述の如く、案内部５００Ａは、基板表面３１０Ａとは異なる表面特性を有するので、液状の樹脂は、その後、第１案内部５１０の延設方向に沿って、第３領域から右領域又は左領域へ向かって流れる。液状の樹脂が、第１案内部５１０の端部に到達すると、液状の樹脂は、第１案内部５１０の端部から延びる第２案内部５２０によって案内され、右領域又は左領域内の渦巻き状の流動経路に沿って流れる。したがって、液状の樹脂は、光伝送領域に戻ることなく、右領域又は左領域に留まりやすくなる。
【００６２】
＜第３実施形態＞
第１実施形態に関連して説明された如く、案内部は、突出構造を有してもよい。突出構造が、光導波路のコア部及びクラッド部の透光性材料のうち少なくとも一方によって形成されるならば、案内部は、容易に形成される。第３実施形態において、突出構造を用いて、液状の樹脂の流れを制御する例示的な光モジュールが説明される。
【００６３】
図４は、図１を参照して説明された光伝送領域に沿う光モジュール１００Ｂの概略的な断面図である。図１及び図４を参照して、光モジュール１００Ｂが説明される。第２実施形態及び第３実施形態の間で共通して用いられる符号は、当該共通の符号が付された要素が、第２実施形態と同一の機能を有することを意味する。したがって、第２実施形態の説明は、これらの要素に援用される。
【００６４】
第２実施形態と同様に、光モジュール１００Ｂは、レーザ光源２００Ａと、基板３００Ａと、光ファイバ４００Ａと、樹脂層６００と、光導波路７００と、複数の接点部２１０と、接着剤層４１０と、押さえ板４２０と、を備える。第２実施形態の説明は、これらの要素に援用される。
【００６５】
光モジュール１００Ｂは、案内部５００Ｂを更に含む。案内部５００Ｂは、光導波路７００と立体的に交差する第１案内部５１０Ｂを含む。第１案内部５１０Ｂは、クラッド部７２０に用いられた透光性材料から形成された突条であってもよい。この場合、第１案内部５１０Ｂは、クラッド部７２０と一体的に形成される。第１案内部５１０Ｂは、クラッド部７２０の形成工程内で形成されるので、第１案内部５１０Ｂの形成は簡素化される。案内部５００Ｂは、図１を参照して説明された案内部５００に対応する。
【００６６】
図５は、基板３００Ａの概略的な平面図である。図４及び図５を参照して、光モジュール１００Ｂが更に説明される。
【００６７】
第２実施形態と同様に、光モジュール１００Ｂは、基板表面３１０Ａ上に形成された４つの導電パッド２２０を更に備える。第２実施形態の説明は、導電パッド２２０に援用される。
【００６８】
案内部５００Ｂは、第１案内部５１０Ｂから延び、右領域又は左領域内で、渦巻き状の案内経路を描く第２案内部５２０Ｂを含む。第２案内部５２０Ｂは、クラッド部７２０に用いられた透光性材料から形成された突条であってもよい。この場合、第２案内部５２０Ｂは、第１案内部５１０Ｂ及びクラッド部７２０の形成工程内で形成されるので、第２案内部５２０Ｂの形成は簡素化される。
【００６９】
代替的に、第２案内部５２０Ｂは、コア部７１０に用いられた透光性材料から形成された突条であってもよい。この場合、第２案内部５２０Ｂは、コア部７１０の形成工程内で形成されるので、第２案内部５２０Ｂの形成は簡素化される。
【００７０】
本実施形態の原理は、案内部５００Ｂの特定の形成工程に限定されない。案内部５００Ｂが、コア部７１０に用いられた透光性材料及びクラッド部７２０に用いられた透光性材料のうち少なくとも一方を含むならば、案内部５００Ｂの形成工程は簡素化される。
【００７１】
＜第４実施形態＞
案内部は、第１案内部と協働して、第１領域に樹脂の多くを閉じ込める堰構造を形成してもよい。第４実施形態において、液状の樹脂の多くを堰構造内に閉じ込める例示的な光モジュールが説明される。
【００７２】
図６は、基板３００Ａの概略的な平面図である。図１及び図６を参照して、堰構造が説明される。第３実施形態及び第４実施形態の間で共通して用いられる符号は、当該共通の符号が付された要素が、第３実施形態と同一の機能を有することを意味する。したがって、第３実施形態の説明は、これらの要素に援用される。
【００７３】
図６は、基板３００Ａ上に形成された案内部５００Ｃを示す。第３実施形態と同様に、案内部５００Ｃは、第１案内部５１０Ｂと、第２案内部５２０Ｂと、を含む。第３実施形態の説明は、これらの要素に援用される。
【００７４】
案内部５００Ｃは、略Ｃ型の突条５３０を更に含む。突条５３０の両端は、第１案内部５１０Ｂに接続される。したがって、突条５３０は、第１案内部５１０Ｂと協働して、略矩形状の領域を形成する。図１を参照して説明された光素子２００は、突条５３０と第１案内部５１０Ｂとによって規定される略矩形状の領域で固定される。図１を参照して説明された樹脂ＲＳは、突条５３０と第１案内部５１０Ｂとによって規定される略矩形状の領域に供給される。
【００７５】
突条５３０は、各導電パッド２２０を、内領域２２１と外領域２２２とに分ける。内領域２２１は、突条５３０と第１案内部５１０Ｂとによって規定される略矩形状の領域内に存在する。外領域２２２は、突条５３０と第１案内部５１０Ｂとによって規定される略矩形状の領域の外に存在する。
【００７６】
液状の樹脂ＲＳの流動は、突条５３０と第１案内部５１０Ｂとによって妨げられるので、樹脂ＲＳの多くは、突条５３０と第１案内部５１０Ｂとによって規定される略矩形状の領域に留められる。したがって、外領域２２２は、樹脂ＲＳによって完全に被覆されにくくなる。この結果、導電パッド２２０に対する電気的な接続は容易になる。
【００７７】
＜第５実施形態＞
第２実施形態乃至第４実施形態において、案内部は、渦巻き状の第２案内部を含む。代替的に、第２案内部は、他の形状の樹脂流動経路を規定してもよい。第５実施形態において、第１案内部と協働して閉ループを描く第２案内部を有する例示的な光モジュールが説明される。
【００７８】
図７は、基板３００Ａの概略的な平面図である。図７を参照して、第２案内部の他の形状が説明される。第４実施形態及び第５実施形態の間で共通して用いられる符号は、当該共通の符号が付された要素が、第４実施形態と同一の機能を有することを意味する。したがって、第４実施形態の説明は、これらの要素に援用される。
【００７９】
図７は、基板３００Ａ上に形成された案内部５００Ｄを示す。第４実施形態と同様に、案内部５００Ｄは、第１案内部５１０Ｂと、突条５３０と、を含む。第４実施形態の説明は、これらの要素に援用される。
【００８０】
案内部５００Ｄは、第２案内部５２０Ｄを更に含む。第２実施形態乃至第４実施形態と同様に、第２案内部５２０Ｄは、右領域及び左領域に形成される。
【００８１】
右領域に形成された第２案内部５２０Ｄは、略Ｃ型の突条である。略Ｃ型の突条の両端は、第１案内部５１０Ｂに接続される。したがって、第２案内部５２０Ｄは、第１案内部５１０Ｂと協働して、右領域内で閉ループを描く。
【００８２】
左領域に形成された第２案内部５２０Ｄは、略Ｃ型の突条である。略Ｃ型の突条の両端は、第１案内部５１０Ｂに接続される。したがって、第２案内部５２０Ｄは、第１案内部５１０Ｂと協働して、左領域内で閉ループを描く。
【００８３】
＜第６実施形態＞
第２実施形態乃至第４実施形態において、案内部は、渦巻き状の第２案内部を含む。代替的に、第２案内部は、他の形状の樹脂流動経路を規定してもよい。第６実施形態において、ジグザグの樹脂流動経路を規定する第２案内部を有する例示的な光モジュールが説明される。
【００８４】
図８は、基板３００Ａの概略的な平面図である。図８を参照して、第２案内部の他の形状が説明される。第４実施形態及び第６実施形態の間で共通して用いられる符号は、当該共通の符号が付された要素が、第４実施形態と同一の機能を有することを意味する。したがって、第４実施形態の説明は、これらの要素に援用される。
【００８５】
図８は、基板３００Ａ上に形成された案内部５００Ｅを示す。第４実施形態と同様に、案内部５００Ｅは、第１案内部５１０Ｂと、突条５３０と、を含む。第４実施形態の説明は、これらの要素に援用される。
【００８６】
案内部５００Ｅは、第２案内部５２０Ｅを更に含む。第２実施形態乃至第４実施形態と同様に、第２案内部５２０Ｅは、右領域及び左領域に形成される。
【００８７】
右領域に形成された第２案内部５２０Ｅは、右領域内でジグザグに延びる。左領域に形成された第２案内部５２０Ｅは、左領域内でジグザグに延びる。したがって、右領域及び左領域内で、樹脂が流動する長い経路が形成される。
【００８８】
＜第７実施形態＞
第２実施形態乃至第４実施形態において、案内部は、渦巻き状の第２案内部を含む。代替的に、第２案内部は、他の形状の樹脂流動経路を規定してもよい。第７実施形態において、直線的な樹脂流動経路を規定する第２案内部を有する例示的な光モジュールが説明される。
【００８９】
図９は、基板３００Ａの概略的な平面図である。図９を参照して、第２案内部の他の形状が説明される。第４実施形態及び第７実施形態の間で共通して用いられる符号は、当該共通の符号が付された要素が、第４実施形態と同一の機能を有することを意味する。したがって、第４実施形態の説明は、これらの要素に援用される。
【００９０】
図９は、基板３００Ａ上に形成された案内部５００Ｆを示す。第４実施形態と同様に、案内部５００Ｆは、第１案内部５１０Ｂと、突条５３０と、を含む。第４実施形態の説明は、これらの要素に援用される。
【００９１】
案内部５００Ｆは、第２案内部５２０Ｆを更に含む。第２実施形態乃至第４実施形態と同様に、第２案内部５２０Ｆは、右領域及び左領域に形成される。第２案内部５２０Ｆは、右領域及び左領域内で直線的に延びる。
【００９２】
上述の様々な実施形態の原理は、光モジュールの用途に適合するように、組み合わされてもよい。例えば、案内部の一部は、突出構造を有し、案内部の他の一部は、表面処理を受けた表面又は溝構造を有してもよい。
【産業上の利用可能性】
【００９３】
上述の実施形態の原理は、光素子が搭載される様々な装置に好適に利用される。
【符号の説明】
【００９４】
１００，１００Ａ，１００Ｂ・・・・・・・・・・・・・・・光モジュール
２００・・・・・・・・・・・・・・・・・・・・・・・・・光素子
２００Ａ・・・・・・・・・・・・・・・・・・・・・・・・レーザ光源
３００，３００Ａ・・・・・・・・・・・・・・・・・・・・基板
３１０，３１０Ａ・・・・・・・・・・・・・・・・・・・・基板表面
３２０・・・・・・・・・・・・・・・・・・・・・・・・・光伝送領域
３２１・・・・・・・・・・・・・・・・・・・・・・・・・第１領域
３２２・・・・・・・・・・・・・・・・・・・・・・・・・第２領域
３３０・・・・・・・・・・・・・・・・・・・・・・・・・隣接領域
４００・・・・・・・・・・・・・・・・・・・・・・・・・光伝送構造体
４００Ａ・・・・・・・・・・・・・・・・・・・・・・・・光ファイバ
５００〜５００Ｆ・・・・・・・・・・・・・・・・・・・・案内部
５１０，５１０Ｂ・・・・・・・・・・・・・・・・・・・・第１案内部
５２０，５２０Ｂ，５２０Ｄ〜５２０Ｆ・・・・・・・・・・第２案内部
６００・・・・・・・・・・・・・・・・・・・・・・・・・樹脂層
７００・・・・・・・・・・・・・・・・・・・・・・・・・光導波路
７１０・・・・・・・・・・・・・・・・・・・・・・・・・コア部
７２０・・・・・・・・・・・・・・・・・・・・・・・・・クラッド部
ＲＳ・・・・・・・・・・・・・・・・・・・・・・・・・・樹脂
【図１】
2015222281.tif 000003
【図２】
2015222281.tif 000004
【図３】
2015222281.tif 000005
【図４】
2015222281.tif 000006
【図５】
2015222281.tif 000007
【図６】
2015222281.tif 000008
【図７】
2015222281.tif 000009
【図８】
2015222281.tif 000010
【図９】
2015222281.tif 000011